(57)【要約】      （修正有）【課題】比較的単純構造で変形操作により、２面に表示された情報を繰り返し見ることが可能な表示板を提供する。【解決手段】大パネル２は、一対の谷折り折線６、6aで一方の表示部と左右両側の一対の把持側板部８、8aに区割し、一方の表示部は、山折り折線９および切り込み11、11a …で左右分割表示部、上下分割表示部、小間表示部13、13a …を形成し、小パネル３、3aは左右分割表示部と略同大の１枚板と成し、小パネルを他方の表示部と成すと共に、小間表示部15、15a …を形成し、大パネルの左右分割表示部と小パネルを重層すると共に、切り込みに小パネルを差し込み通過させ、大パネルと小パネルの小間表示部を互い違いに配置することによって、変形操作により表示面が陽面と陰面に変化して多面表示し、更に、繰り返し変形操作の興趣が高く、表示情報を回数、凝視度、人数などで多面化、多様化する。【選択図】図２
2007206322.tif 000002
【特許請求の範囲】
【請求項１】
１枚の大パネルと２枚の小パネルから成る多面情報表示板の組立用パネルであって、
大パネルは、縦方向の一対の谷折り折線で、中間部の一方の表示部と左右両側の一対の把持側板部に区割し、一方の表示部は、縦方向の山折り折線で左右分割表示部に分割すると共に、横方向の複数の切り込みで３部以上の上下分割表示部に分割して、山折り折線および切り込みで６部以上の小間表示部を形成し、
小パネルは大パネルにおける左右分割表示部より若干小幅の略同大の１枚板と成し、小パネルを他方の表示部と成すと共に、上下方向で３部以上の小間表示部を分割形成した
ことを特徴とする多面情報表示板の組立用パネル。
【請求項２】
１枚の大パネルと２（ｎ＋１）枚の小パネルから成る多面情報表示板の組立用パネルであって、
大パネルは、縦方向の一対の谷折り折線で、中間部の一方の表示部と左右両側の一対の把持側板部に区割し、一方の表示部は縦方向のｎ本の谷折り折線で（ｎ＋１）部の部分表示部に区分し、該部分表示部は縦方向の山折り折線で左右分割表示部に分割すると共に、横方向の複数の切り込みで３部以上の上下分割表示部に分割して、山折り折線および切り込みで６部以上の小間表示部を形成し、
小パネルは大パネルにおける左右分割表示部より若干小幅の略同大の１枚板と成し、小パネルを他方の表示部と成すと共に、上下方向で３部以上の小間表示部を分割形成した
ことを特徴とする多面情報表示板の組立用パネル。
【請求項３】
請求項１記載の１枚の大パネルと２枚の小パネルを組み立てた多面情報表示板であって、
大パネルの左右分割表示部と小パネルを重層すると共に、大パネルの切り込みに小パネルを差し込み通過させ、
大パネルの小間表示部の前面側および後面側に小パネルの小間表示部を互い違いに重層配置した
ことを特徴とする多面情報表示板。
【請求項４】
請求項２記載の１枚の大パネルと２（ｎ＋１）枚の小パネルを組み立てた多面情報表示板であって、
大パネルの左右分割表示部と小パネルを重層すると共に、大パネルの切り込みに小パネルを差し込み通過させ、
大パネルの小間表示部の前面側および後面側に小パネルの小間表示部を互い違いに重層配置した
ことを特徴とする多面情報表示板。
【請求項５】
シートに１枚の大パネルと２枚の小パネルを切り抜き自在に設けた多面情報表示板のパネルシートであって、
大パネルと小パネルは請求項１記載のものと成した
ことを特徴とする多面情報表示板のパネルシート。
【請求項６】
シートに１枚の大パネルと２（ｎ＋１）枚の小パネルを切り抜き自在に設けた多面情報表示板のパネルシートであって、
大パネルと小パネルは請求項２記載のものと成した
ことを特徴とする多面情報表示板のパネルシート。
【発明の詳細な説明】
【技術分野】
【０００１】
本発明は、２面（表裏４面）の表示面を有した多面情報表示板に関し、特に、パズル感覚で変形操作して表示面を陽面から陰面に変化させる多面情報表示板および該多面情報表示板の組み立てに使用する多面情報表示板の組立用パネルとパネルシートに関する。
【背景技術】
【０００２】
従来、商品、役務紹介のパンフレットや情報表示、発信の紙状、板状媒体としては、４面を順次、内側に折り曲げたものや、用紙を二重、三重構造とすると共に、表面に開閉窓や透明窓を設け、窓を開けたり用紙をスライドさせて、隠れた面が現れる様にした媒体（多面情報表示板）があった。
【０００３】
研究開発段階や出願段階で先行技術調査を行っておらず、記載すべき先行技術文献を知りません。
【発明の開示】
【発明が解決しようとする課題】
【０００４】
しかしながら、折り曲げ媒体や二重構造媒体などは、陽面（変形操作前の常態表示面）と陰面（常態では隠れた面で変形操作後の表示面）の変換時の形態変化が単純であるため、興味を持って何度も何度も変形操作することが無く、よって、表示された情報を繰り返し見ることも少なく、或いは、情報取得後には廃棄され易かった。
【課題を解決するための手段】
【０００５】
本発明は、上記従来技術に基づく、比較的単純構造では興趣が低く、繰り返し見られることが少なかった課題に鑑み、大パネルは、縦方向の一対の谷折り折線で、中間部の一方の表示部と左右両側の一対の把持側板部に区割し、一方の表示部は、縦方向の山折り折線で左右分割表示部に分割すると共に、横方向の複数の切り込みで３部以上の上下分割表示部に分割して、山折り折線および切り込みで６部以上の小間表示部を形成し、小パネルは大パネルにおける左右分割表示部より若干小幅の略同大の１枚板と成し、小パネルを他方の表示部と成すと共に、上下方向で３部以上の小間表示部を分割形成し、大パネルの左右分割表示部と小パネルを重層すると共に、大パネルの切り込みに小パネルを差し込み通過させ、大パネルの小間表示部の前面側および後面側に小パネルの小間表示部を互い違いに配置することによって、変形操作により表示面が陽面と陰面に変化して多面表示し、更に、繰り返し変形操作の興趣が高く、表示情報を回数、凝視度、人数などで多面化、多様化する様にして、上記課題を解決する。
【発明の効果】
【０００６】
要するに、本発明に係る多面情報表示板は、大パネルの把持側板部の押し込み操作や引き出し操作により、形態変化させて表示面を陰陽２面に容易に表示変換することが出来ると共に、次の様な形態変化の特異性とその効能を発現することが出来る。
【０００７】
例えば、全体形状、表示状態、表示内容が変化する趣向、および、パズル感覚で何度も何度も手に持って変形したり観察することにより、興味を持って、注意深くじっと見たり、凝視し、表示内容（情報）を需要者に深く伝達することが出来る。
又、変形可能構造に興味を持って保管することを期待出来たり、家族や友人などの周囲の人達を巻き込んで情報発信、伝達を期待することが出来る。
よって、時と場所を変えて、或いは、家族、友人を交えて、何度も何度も長期間に渡って、情報伝達を期待でき、パンフレット、カタログや販売促進媒体として非常に有用である。
【０００８】
組立用パネルとパネルシートでは、受領者が組立、変形、表示内容（情報）の変化等の多大な変幻自在性を享受して、情報を充分に取得することを期待できる。
【０００９】
表示部を区分して横方向に区分表示部を設けたので、表示内容を複数種類に拡大することが出来る等その実用的効果甚だ大である。
【発明を実施するための最良の形態】
【００１０】
以下、本発明の一実施形態を図面に基づいて説明する。
図１は多面情報表示板のパネルシートの正面図、図２（ａ）は多面情報表示板の組立用パネルの正面図、同（ｂ）は組立状態を示す正面図、図３は多面情報表示板の正面図および要部断面の端面模式図である。
図３に示す多面情報表示板１は、図２に示す１枚の大パネル２と２枚の小パネル３、3aから成る組立用パネルを組み立てたものであり、図１に示す様に、大パネル２と小パネル３、3aは厚紙製、板紙製の大きなパネルシート４から切抜線５、5a…で切り抜き自在に設けられている。
【００１１】
図２（ａ）に示す様に、大パネル２は、ブランクに設けられ所定幅離隔した縦方向の一対の谷折り折線６、6aで、中間部の一方の表示部７と左右両側の一対の把持側板部８、8aに区割されている。
又、一方の表示部７は、その中央に設けた縦方向の山折り折線９で一対の左右分割表示部10、10a に分割すると共に、横方向の３本の切り込み11、11a …で４部の上下分割表示部12、12a …に分割して、山折り折線９および切り込み11、11a …で８部（８小間）の小間表示部13、13a …（図２（ｂ）、図６（ｂ）参照）を形成している。
【００１２】
図２（ａ）に示す様に、２枚の小パネル３、3aは大パネル２における左右分割表示部10、10a より若干小幅（図示のものでは若干短寸）の略同大の１枚板と成し、小パネル３、3aを他方の表示部14、14a と成すと共に、個々の表示部14、14a に上下方向で夫々４部（８小間）の小間表示部15、15a …（図２（ｂ）、図６（ｂ）参照）を分割形成している。
尚、小パネル３、3aの小間表示部15、15a …は大パネル２の小間表示部13、13a …と同数であり、又後述する様に、小パネル３、3aは裏面にも小間表示部を有している（図７（ｂ）（ｃ）参照）。
【００１３】
尚、大パネル２における横方向の複数の切り込み11、11a …は４本、小間表示部13、13a …は８部と成しているが、後述する大パネル２と小パネル３、3aの重層状態を維持出来る３本以上、６部以上であれば、更に細分化しても良い。
又、図６（ｂ）（後述する図７（ｂ）（ｃ）を含む）で小パネル３、3aに横方向の複数の実線を表示しているが、表示部14、14a における小間表示部15、15a …（17、17a …）の分割状態を明瞭化するものであり、特に必要とするものでは無く、省略しても良く、又各小間表示部13、13a …、15、15a …、17、17a …に縁取りを設けても良い。
【００１４】
次に本発明に係る多面情報表示板の組立について説明する。
図２に示す様に、大パネル２の一方（図示のものでは左側）の左分割表示部10の小間表示部13の前面側（表面側）に一方の小パネル３の小間表示部15c を重層配置し、小パネル３の下端（小間表示部15c ）を下方に移動させ、上方の切り込み11に差し込み通過させて小間表示部13a の後面側（背面側）を通過させる。
次に、２番目の切り込み11a に差し込んで小間表示部13b の前面側を通過させ、そして３番目の切り込み11b に差し込み通過させ、小パネル３の小間表示部15c を大パネル２の小間表示部13c の後面側に到達させる。
他方（図示のものでは右側）の小パネル3aは、一方のものとは逆配置と成しており、大パネル２の他方の右分割表示部10a の小間表示部13d の裏面側に重層配置し、一方のものと同様に、小パネル3aを切り込み11、11a …に順次、差し込み、前面側と後面側が順次、逆配置で通過させ、小パネル3aの下段の小間表示部15g は大パネル２の小間表示部13g の前面側に重層配置する。
【００１５】
多面情報表示板１の組立完了状態は図３に示しており、大パネル２の左右分割表示部10、10a と小パネル３、3aを重層すると共に、大パネル２の切り込み11、11a …に小パネル３、3aを差し込み通過させ、大パネル２の小間表示部13、13a …の前面側および後面側に小パネル３、3aの小間表示部15、15a …を互い違いに配置している。
例えば、左側上段の小間にあっては、大パネル２の小間表示部13の前面側に小パネル３の小間表示部15を重層配置し、下側に隣接する左側第２段の小間にあっては、小間表示部13a の後面側に小間表示部15a を重層配置し、又、右側に隣接する右側上段の小間にあっては、小間表示部13d の後面側に小間表示部15d が重層配置し、上下方向および左右方向の各小間で大パネル２と小パネル３、3aの小間表示部13、13a …、15、15a …を前面側および後面側に互い違いに配置している。
尚、多面情報表示板１の組立状態を示す図３および変形状態を示す図５の断面端面部は重層状態および位置関係を示すため、大パネル２と小パネル３、3aを非接面の模式図と成したが、実際には接面した重層状態であり、又折曲部および屈曲部を誇張表示等している。
【００１６】
多面情報表示板１の変形操作は後述するが、多面情報表示板１の表示状態は陰陽２面ＸＹ（陽面Ｘ：変形操作前の常態表示面と陰面Ｙ：常態では隠れた面で変形操作後の表示面）のどちらか１面の表示状態に変換選択自在であり、組立状態における陽面Ｘの表示状態は大パネル２の小間表示部13、13a …と小パネル３、3aの小間表示部15、15a …が１小間置きの表示状態となっている。
具体的には、図６に示す様に、陽面Ｘの表示状態は、左側上から小パネル３の小間表示部15、大パネル２の小間表示部13a 、以下、小間表示部15b 、小間表示部13c 、右側上から小間表示部13d 、小間表示部15e 、小間表示部13f 、小間表示部15g となっている。
又、図示のものでは、表示情報（図示のものでは２重円と円の模様）は上下２分割されており、上側の表示情報は大パネル２の小間表示部13a 、13d 、小パネル３の小間表示部15、15c で１個の情報が表示され、下側も同様に斜め２個ずつの小間表示部13c 、13f 、15b 、15g で情報表示されている。
【００１７】
次に本発明に係る多面情報表示板の変形操作による陰陽２面ＸＹの表示面の変化について説明する。
図４（ａ）に示す様に、大パネル２の両側の把持側板部８、8aを把持して中央側へ寄せる様に押し込むと、谷折り折線６、6aおよび山折り折線９が夫々折曲して、表示部７（左右分割表示部10、10a ）は山折り折線９を稜線として前面側に山状にせり出す。
続いて、表示部７の一対の左右分割表示部10、10a （重層した小パネル３、3aを含む）の背面同志が接近し、図４（ｂ）に示す様に、重層状に接面し、全体的には略Ｔ字状となる。
更に、把持側板部８、8aの内縁同志が押圧状態となる様に奥まで押し込むと、図４（ｃ）に示す様に、大パネル２の山折り折線９も上下方向で分離して一枚板の小パネル３、3aを主体として左右に分離する。
左右分離した一対の変形複合体16、16a の稜線（山折り折線９の一部に相当）で拡開すると、図５に示す様に、隠れていた表示面の陰面Ｙが表示される。
【００１８】
表示面を陰面Ｙから陽面Ｘに復元変換する変形操作は特に図示していないが、図５（ａ）に示す様に、変形複合体16、16a の拡開状態を解除すると、反発力で自然に、或いは、把持側板部８、8aを両側に引き出すと、図４（ｃ）、（ｂ）、（ａ）の順序で変形し、把持側板部８、8aの引き出し操作で図３（ａ）に示す陽面Ｘが復元表示される。
即ち、大パネル２の把持側板部８、8aの押し込み、引き出し操作で、多面情報表示板１は変形し、陰陽２面ＸＹが交互に変換表示される。
【００１９】
次に、上記の多面情報表示板１の変形時における一対の変形複合体16、16a の形態を説明すると、一対の小パネル３、3aに重層状態で、大パネル２の上下分割表示部12、12a …が交互に左右分離した形態である。
具体的には、図５（ｂ）〜（ｄ）に示す様に、上下分割表示部12、12a …における左右分割表示部10、10a （（ｂ）に図示のものでは、例えば上段の小間表示部13、13ｄ）が小パネル３、3a（同、小パネル3aの小間表示部15d （後述する表裏面関係の小間表示部17d を含む、以下、この段落において同様））を背中合わせで挟着重層すると共に、変形複合体16、16a （同、変形複合体16a ）が把持側板部８、8a（同、把持側板部8a）の前面側に傾斜して面接近状態となる形態である。
又、上下方向では、（ｄ）に示す左側の変形複合体16にあっては、上下方向に連続配置された小パネル３の上段の小間表示部15が単独化し、小パネル３の第２段の小間表示部15a の前面側に大パネル２の左分割表示部10の小間表示部13e が重層すると共に、後面側に左分割表示部10の小間表示部13a が重層してサンドイッチ状態となり、小パネル３の第３段の小間表示部15b が単独化し、小パネル３の下段の小間表示部15c の前後面側に小間表示部13g 、13c が重層する。
【００２０】
次に、多面情報表示板１が変形操作され、変形複合体16、16a が拡開されて表示される陰面Ｙを説明する。
図７に示す様に、陰面Ｙの表示は大パネル２の左右分割表示部10、10a における左右逆転した小間表示部13、13a …の一部と小パネル３、3aの背面の小間表示部17、17a …の一部から構成されている。
左側上から小パネル３の小間表示部17、大パネル２の小間表示部13e 、以下、小間表示部17b 、小間表示部13g 、右側上から小間表示部13、小間表示部17e 、小間表示部13b 、小間表示部17g となる。
又、図示のものでは、情報は上下２分割されており、上側の情報表示は大パネル２の小間表示部13、13e 、小パネル３の小間表示部17、17e で１個の情報が表示され、下側も同様に斜め２個ずつの小間表示部13b 、13g 、17b 、17g で情報表示されている。
尚、小パネル３、3aの表面の小間表示部15、15a …と裏面の小間表示部17、17a …の関係を図７（ｂ）（ｃ）に示している。
【００２１】
次に、パネルシート４を含む全体的な作用について説明する。
図１に示すパネルシート４から切抜線５、5a…で１枚の大パネル２および２枚の小パネル３、3aを切り抜き、大パネル２および小パネル３、3aを図２等に示す組立要領で多面情報表示板１を組み立てる。
多面情報表示板１の中央部で大パネル２の表示部７および小パネル３、3aの表示部14、14a における４小間や８小間等の小間表示部13、13a …、15、15a …で陽面Ｘの情報が表示され、図４等に示す変形操作要領で小間表示部13、13a …、17、17a …で陰面Ｙの情報が表示される。
陰陽２面ＸＹの表示情報の１例としては、陽面Ｘに自動車、建築物、家具、家電製品等の外装を表示し、陰面Ｙに自動車等これらの内装を表示する。
その他の表示例としては、動態変化する商品の静態と動態を表示したり、時系列変化するものの２表示などが挙げられる。
【００２２】
多面情報表示板１の供給例としては、組み立て済の多面情報表示板１や、大パネル２および小パネル３、3aから成る組立用パネルや、パネルシート４を情報発信者が配付する例が挙げられる。
多面情報表示板１の受領者は変形操作でパズル感覚を楽しむと共に、陰陽２面ＸＹに表示された情報を取得し、組立用パネルやパネルシート４の受領者は図６（ｂ）や図７（ｂ）（ｃ）の一見、不可思議な情報、模様と陰陽２面ＸＹの整然一体化した情報のギャップの幻想感や組立のパズル感覚を享受する。
【００２３】
尚、本件発明では図示の組立状態における前面側および変形操作における陰陽２面ＸＹの情報表示を説明したが、裏面側にも同様に情報表示でき、合計４面の情報表示が可能である。
【００２４】
次に、多面情報表示板１の表示面を横方向に複数化した例を説明する。
図８に示す様に、大パネル２において縦方向の一対の谷折り折線６、6aで区割された中間部の一方の表示部７を、谷折り折線18、18a で複数の部分表示部19、19a …に区分し、複数の部分表示部19、19a …を縦方向の山折り折線９で左右分割表示部10、10a に分割している。
更に、部分表示部19、19a …を横方向の３本の切り込み11、11a …で４部の上下分割表示部12、12a …に分割して、山折り折線９および切り込み11、11a …で８部の小間表示部13、13a …を形成している。
そして、第１番目の実施例と同様に左右分割表示部10、10a に小パネル３、3aを、互い違いとなる様に、重層配置している。
上記構成を言い換えると、第１番目の実施例における一方の表示部７が横方向に連設されたものであり、第１番目の実施例の表示部７に第２番目の実施例の部分表示部19、19a …が相当する。
【００２５】
尚、谷折り折線18、18a と部分表示部19、19a …等の数量的関係としては、１本の谷折り折線18、18a で２部の部分表示部19、19a …が区分され、同じく２本で３部、ｎ（ｎは整数）本で（ｎ＋１）部が区分され、部分表示部19、19a …が山折り折線９で分割された左右分割表示部10、10a と該左右分割表示部10、10a に重層される小パネル３、3aは２（ｎ＋１）部と２（ｎ＋１）枚となる。
この場合の組立用パネルは、（ｎ＋１）部の部分表示部19、19a …等を有した１枚の大パネル２と２（ｎ＋１）枚の小パネル３、3aから成り、パネルシート４の大パネル２と小パネル３、3aも組立用パネルのものと同様である。
【図面の簡単な説明】
【００２６】
【図１】本発明に係る多面情報表示板のパネルシートの正面図である。
【図２】（ａ）は本発明に係る多面情報表示板の組立用パネルの正面図、（ｂ）は多面情報表示板の組立状態を示す正面図である。
【図３】本発明に係る多面情報表示板の正面図および要部断面の端面模式図である。
【図４】陰面を表示させる変形形態を示す図である。
【図５】陰面を表示した変形状態の多面情報表示板の正面図および要部断面の端面模式図である。
【図６】多面情報表示板による情報表示状態を示す正面図および組立用パネルの情報表示状態を示す正面図である。
【図７】陰面を表示した変形状態の多面情報表示板による情報表示状態を示す正面図および組立用パネルの一部である小パネルの情報表示状態を示す正面図および背面図である。
【図８】表示面を横方向に複数設けた例を示す多面情報表示板の正面図である。
【符号の説明】
【００２７】
１          多面情報表示板
２          大パネル
３、3a      小パネル
４          パネルシート
５、5a…    切抜線
６、6a      谷折り折線
７          表示部
８、8a      把持側板部
９          山折り折線
10、10a     左右分割表示部10、10a 
11、11a …  切り込み
12、12a …  上下分割表示部
13、13a …  小間表示部
14、14a     表示部
15、15a …  小間表示部
16、16a     変形複合体
17、17a …  小間表示部
18、18a     谷折り折線
19、19a …  部分表示部
Ｘ          陽面
Ｙ          陰面
【図１】
2007206322.tif 000003
【図２】
2007206322.tif 000004
【図３】
2007206322.tif 000005
【図４】
2007206322.tif 000006
【図５】
2007206322.tif 000007
【図６】
2007206322.tif 000008
【図７】
2007206322.tif 000009
【図８】
2007206322.tif 000010